(57)【要約】【課題】プラグの抜去が禁止される状態に加え、不用意なプラグの抜去が規制され、かつ、抜去操作は許容される状態をもたせることにより使い勝手を高めたプラグの連結構造の提供を目的とする。【解決手段】プラグ１のプラグ栓刃２をコンセント３に形成される湾曲形状のプラグ差し込み口４の初期挿入位置に挿入した後、終端位置まで回転させてコンセント３のコンタクト５に接続するプラグの連結構造であって、  前記プラグ１は終端回転位置においてコンセント３に係止して抜け止めされるとともに、  コンセント３には、施錠状態において終端位置にあるプラグ１の初期挿入位置への回転を規制する施錠部６が設けられるプラグの連結構造【選択図】  図３
2010160996.tif 000002
【特許請求の範囲】
【請求項１】
プラグのプラグ栓刃をコンセントに形成される湾曲形状のプラグ差し込み口の初期挿入位置に挿入した後、終端位置まで回転させてコンセントのコンタクトに接続するプラグの連結構造であって、
前記プラグは終端回転位置においてコンセントに係止して抜け止めされるとともに、
コンセントには、施錠状態において終端位置にあるプラグの初期挿入位置への回転を規制する施錠部が設けられるプラグの連結構造。
【請求項２】
初期挿入位置から受容したプラグ栓刃の終端位置までの回転移動を許容する円弧状のプラグ差し込み口を備え、前記プラグ栓刃に接続するコンタクトを保持するハウジングと、
終端位置まで回転したプラグに係止してプラグを抜け止めする係止部と、
終端位置に移動したプラグの初期挿入位置側への移動を施錠状態において規制する施錠部と、
を有するコンセント装置。
【請求項３】
前記施錠部は、施錠状態においてプラグ栓刃の初期挿入位置への復帰経路を閉塞する請求項２記載のコンセント装置。
【請求項４】
前記施錠部は、真正な解錠キーにより回転操作可能なシリンダを備えたシリンダ錠により形成され、
施錠状態においてシリンダに連結されたストッパレバーによりプラグの復帰回転を規制する請求項２または３記載のコンセント装置。
【請求項５】
前記係止部は、コンタクトに形成されて終端位置においてプラグ栓刃に形成された孔に係止し、周壁が、プラグ栓刃の抜去方向移動面に対して直交し、初期挿入位置側への移動面に対しては斜行する錐面により形成される突起である請求項２、３または４記載のコンセント装置。
【発明の詳細な説明】
【技術分野】
【０００１】
本発明は、プラグの連結構造に関するものである。
【背景技術】
【０００２】
コンセントにプラグイン接続されたプラグの抜け止めが可能なプラグの連結構造としては、特許文献１に記載のものが知られている。この従来例において、コンセントには、シリンダ錠と回動板とが配置され、プラグ栓刃をプラグインした後、シリンダ錠を施錠回転すると、回動板が回動してプラグ栓刃の孔に挿入し、プラグが抜け止めされる。
【先行技術文献】
【特許文献】
【０００３】
【特許文献１】実開昭５９-１７０９８２号公報
【発明の概要】
【発明が解決しようとする課題】
【０００４】
しかし、上述した従来例は、施錠状態においては抜け止めされるものの、非施錠状態での抜け止めがなされないために、抜け止めを確実にするためには、施錠操作を行う必要があるという問題がある。
【０００５】
本発明は、以上の欠点を解消すべくなされたものであって、プラグの抜去が禁止される施錠状態に加え、非施錠抜け止め状態、すなわち、不用意なプラグの抜去が規制され、かつ、抜去操作は許容される状態をもたせることにより使い勝手を高めたプラグの連結構造の提供を目的とする。また、本発明の他の目的は、上記プラグの連結構造に使用可能なコンセント装置の提供にある。
【課題を解決するための手段】
【０００６】
本発明によれば上記目的は、
プラグ１のプラグ栓刃２をコンセント３に形成される湾曲形状のプラグ差し込み口４の初期挿入位置に挿入した後、終端位置まで回転させてコンセント３のコンタクト５に接続するプラグの連結構造であって、
前記プラグ１は終端回転位置においてコンセント３に係止して抜け止めされるとともに、
コンセント３には、施錠状態において終端位置にあるプラグ１の初期挿入位置への回転を規制する施錠部６が設けられるプラグの連結構造を提供することにより達成される。
【０００７】
コンセント３は初期挿入位置と終端位置とを曲率経路で結んだプラグ差し込み口４を有し、プラグ１のコンセント３への連結は、プラグ栓刃２をプラグ差し込み口４の初期挿入位置に差し込んだ後、プラグ差し込み口４に沿って終端位置まで回転させて行われる。プラグ１の回転操作に伴ってプラグ１はコンセント３に係止し、プラグ１は抜け止めされる。
【０００８】
プラグ１の回転操作に伴う抜け止めは、プラグ１に対する初期挿入位置への回転操作によって解消可能であり、施錠部６を施錠状態にすると、プラグ１の初期挿入位置への回転操作が規制され、結果、第三者によるプラグ１の抜去操作を禁止することができる。
【０００９】
したがってこの発明において、プラグ栓刃２を挿入した後、プラグ１を回転操作するだけでプラグ１の抜け止めを行うことができ、さらに、施錠部６を施錠操作することによって第三者による抜去が規制される。
【００１０】
上記連結構造には、
初期挿入位置から受容したプラグ栓刃２の終端位置までの回転移動を許容する円弧状のプラグ差し込み口４を備え、前記プラグ栓刃２に接続するコンタクト５を保持するハウジング７と、
終端位置まで回転したプラグ１に係止してプラグ１を抜け止めする係止部８と、
終端位置に移動したプラグ１の初期挿入位置側への移動を施錠状態において規制する施錠部６と、
を有するコンセント装置が使用できる。
【００１１】
施錠時におけるプラグ１の初期挿入位置側への移動の規制は、プラグ栓刃２を保持するプラグ１の本体部の移動経路を閉塞することにより行うことも可能であるが、プラグ栓刃２の移動経路を閉塞するように構成すると、コンセント装置のハウジング７内部での動作により施錠操作を行うことができ、外観に影響を与えることがない。
【発明の効果】
【００１２】
本発明によれば、非施錠抜け止め状態、すなわち、不用意なプラグの抜去が規制され、かつ、抜去操作は許容される状態をもたせることができるために、使い勝手が向上する。
【図面の簡単な説明】
【００１３】
【図１】コンセント装置を示す図で、（ａ）は内部を示す説明図、（ｂ）は（ａ）の１Ｂ-１Ｂ線断面図である。
【図２】コンセント装置の断面図で、（ａ）は図１（ａ）の２Ａ線断面図、（ｂ）は図１（ａ）の２Ｂ-２Ｂ線断面図である。
【図３】プラグの接続状態を示す図で、（ａ）はプラグ栓刃を初期挿入位置に挿入した状態を示す図、（ｂ）は接続状態を示す図である。
【図４】係止部を示す図で、（ａ）は図２（ａ）に対応する図、（ｂ）は図２（ｂ）に対応する図、（ｃ）は図４（ｂ）の要部拡大図、（ｄ）は図４（ｃ）の４Ｄ-４Ｄ線断面図である。
【図５】本発明の他の実施の形態を示す図で、（ａ）は初期挿入位置にプラグ栓刃を挿入した状態を示す図、（ｂ）はプラグ接続状態を示す図、（ｃ）は（ｂ）の５Ｃ-５Ｃ線断面図である。
【発明を実施するための形態】
【００１４】
図１に示すように、コンセント装置は、ハウジング７内に端子プレート１３とシリンダ錠（施錠部６）とを固定して形成される。ハウジング７には、図３（ａ）に示すように、プラグ１のプラグ栓刃２を差し込んだ後、図３（ｂ）に示すように、所定角度回転させることができる曲率を有するプラグ差し込み口４が開設される。
【００１５】
端子プレート１３は導電性の良好な金属材料により形成され、ビス等の止着子１３ａを使用してハウジング７に固定される。この端子プレート１３には２枚のコンタクト５が対向して立ち上げられ、上記プラグ差し込み口４から差し込まれるプラグ栓刃２を挟み付ける。
【００１６】
プラグ１のコンセント装置への連結は、図３（ａ）に示す初期挿入位置からプラグ栓刃２を挿入した後、図３（ｂ）に示す終端位置までプラグ１を回転させて行われる。図２に示すように、一方のコンタクト５には抜け止め突部（係止部８）が形成され、プラグ栓刃２が終端位置まで回転したときに、プラグ栓刃２に開設された孔１２に弾発係止する。
【００１７】
上記抜け止め突部は、図４（ｃ）、（ｄ）に示すように、周壁が、プラグ１の抜去方向の移動面（図４（ｃ）におけるＷ面）に対しては直交し、初期挿入位置側への移動面（図４（ｄ）におけるＲ面）に対しては斜行する錐面により形成される。この結果、プラグ栓刃２を終端位置方向に回転させると、まず、抜け止め突部８に当接し、さらに回転操作を続けると、コンタクト５は一旦弾性的に撓んでプラグ栓刃２を受容した後、終端位置において弾性復元力により原位置に復帰し、抜け止め突部８がプラグ栓刃２の孔１２に弾発的に係止する。
【００１８】
係止状態において抜け止め突部８の直交面に阻まれてプラグ１の抜去が規制されるとともに、初期挿入位置側への操作時には斜面からの分力によりコンタクト５が係止解除方向に移動可能であるために、初期挿入位置に回転操作した後、プラグ１を抜去することができる。
【００１９】
一方、シリンダ錠６は、図１（ｂ）に示すように、シリンダケース９ａ内にシリンダ９を回転操作可能に挿入して形成される。シリンダケース９ａにはシリンダ錠６をハウジング７にねじ止めするための固定フランジ９ｂが形成される。
【００２０】
上記シリンダ９の終端には、自由端にストッパ片１１ａを有するストッパレバー１１が固定される。ストッパレバー１１は、合成樹脂等の絶縁材料により形成される。図３（ａ）に示す解錠状態においてプラグ栓刃２を装着して終端位置まで回転させた後、シリンダ錠６を施錠状態にすると、図３（ｂ）に示すように、ストッパレバー１１のストッパ片１１ａはプラグ栓刃２の初期挿入位置への復帰経路を閉塞する。
【００２１】
この結果、利用者は、シリンダ錠６を施錠状態にしてプラグ１の抜去を不可能とした使用方法と、シリンダ錠６を解錠状態とし、不用意な抜去のみを規制し、意図的な抜去操作は許容される使用方法を選択して使用することができる。また、プラグ１を挿入しない状態でシリンダ錠６を施錠状態にしておくと、第三者によるコンセント装置の使用を不可能にすることができる。
【００２２】
図５に本発明の他の実施の形態を示す。なお、本実施の形態において、上述した実施の形態と実質的に同一の構成要素は図中に符号を付して説明を省略する。この実施の形態は、プラグ１を抜け止めする係止部８の変形例を示すもので、プラグ栓刃２の自由端には、一方のコンタクト５に形成される係止部８に係止する折り返し片２ａが内方に向けて折曲形成される。
【００２３】
図５（ａ）に示すように、プラグ栓刃２は上述した実施の形態と同様に初期挿入位置から挿入された後、終端位置まで回転させて装着される。先端に折り返し片２ａが形成されたプラグ栓刃２の初期挿入位置での挿入を可能にするために、一方のコンタクト５は図１に示す実施の形態に比して短寸に形成される。
【００２４】
係止部８は、図５（ｃ）に示すように、上記コンタクト５の後端面を切り欠いて形成され、初期挿入位置から挿入したプラグ栓刃２を終端位置まで回転させると、折り返し片２ａはコンタクト５の後端面に係止し、以後、抜去方向への移動が規制される。
【００２５】
この状態から図５（ｂ）に示すように、シリンダ錠６を施錠状態に作動させてストッパ片１１ａによってプラグ栓刃の回転方向の移動を規制すると、抜去操作が完全に規制される。
【符号の説明】
【００２６】
１        プラグ
２        プラグ栓刃
３        コンセント
４        プラグ差し込み口
５        コンタクト
６        施錠部
７        ハウジング
８        係止部
９        シリンダ
１１      ストッパレバー
１２      孔
【図１】
2010160996.tif 000003
【図２】
2010160996.tif 000004
【図３】
2010160996.tif 000005
【図４】
2010160996.tif 000006
【図５】
2010160996.tif 000007